(57)【要約】【課題】同一のアプリケーションプログラムを用いて、ユーザ領域の容量が異なるＲＦＩＤタグを使用することを可能とする。【解決手段】ＲＦＩＤタグ７の情報を管理するＲＦＩＤ管理装置２は、ＲＦＩＤタグ７に格納されるデータが、ＲＦＩＤタグ７のメモリ容量を超える場合、前記データのうち、前記メモリ容量を超えたデータを、記憶部５に格納することを特徴とする。【選択図】図１
2008004030.tif 000002
【特許請求の範囲】
【請求項１】
ＲＦＩＤタグのメモリの情報を管理するＲＦＩＤ管理装置におけるＲＦＩＤ管理方法であって、
前記ＲＦＩＤ管理装置は、
情報を処理する処理部と、
前記情報を格納する記憶部とを有し、
前記処理部は、
前記ＲＦＩＤタグに格納されるデータが、前記ＲＦＩＤタグのメモリ容量を超える場合、前記データのうち、前記メモリ容量を超えたデータを、前記記憶部に格納することを特徴とするＲＦＩＤ管理方法。
【請求項２】
前記処理部は、
前記メモリ容量を超えたデータを、前記記憶部から読み込むことを特徴とする請求項１に記載のＲＦＩＤ管理方法。
【請求項３】
請求項１または請求項２に記載のＲＦＩＤ管理方法をコンピュータに実行させることを特徴とするＲＦＩＤ管理プログラム。
【請求項４】
ＲＦＩＤタグのメモリの情報を管理するＲＦＩＤ管理装置であって、
前記ＲＦＩＤ管理装置は、
情報を処理する処理部と、
前記情報を格納する記憶部とを有し、
前記処理部は、
前記ＲＦＩＤタグに格納されるデータが、前記ＲＦＩＤタグのメモリ容量を超える場合、前記データのうち、前記メモリ容量を超えたデータを、前記記憶部に格納する機能を備えることを特徴とするＲＦＩＤ管理装置。
【請求項５】
前記処理部は、
前記メモリ容量を超えたデータを、前記記憶部から読み込む機能をさらに備えることを特徴とする請求項４に記載のＲＦＩＤ管理装置。
【発明の詳細な説明】
【技術分野】
【０００１】
本発明は、アプリケーションプログラムとＲＦＩＤタグとの間の情報の受渡しを制御するＲＦＩＤ管理方法、ＲＦＩＤ管理プログラムおよびＲＦＩＤ管理装置に関する。
【背景技術】
【０００２】
ＲＦＩＤタグを用いたＲＦＩＤ管理システムにおいて、ＲＦＩＤタグのメモリを媒体としてデータを取得し、関連する有用な情報の利用を図ることを狙いとしたシステムが提示されている。
例えば、ＲＦＩＤタグからシリアル番号を読み出し、サーバに対してシリアル番号の送信を行い、サーバから関連する情報をダウンロードし、ＲＦＩＤタグのシリアル番号に結びつけられた情報を携帯端末等に表示する技術が提示されている（例えば、特許文献１）。
また、管理情報を記憶したＲＦＩＤタグと、ＲＦＩＤタグの識別コードを関連付けてＰＣ（Personal Computer）に記憶させる技術が提示されている（例えば、特許文献２）。
さらに、ＲＦＩＤタグの情報を、サーバ装置にコピーすることによって、ＲＦＩＤタグの情報を、サーバ装置で管理する技術が開示されている（例えば、特許文献３）。
【特許文献１】特開２００６−１１４２号公報（請求項１）
【特許文献２】特開２００５−２７２１３６号公報（請求項１）
【特許文献３】特開２００１−１８４４６８号公報（請求項１）
【発明の開示】
【発明が解決しようとする課題】
【０００３】
ＲＦＩＤタグのメモリは、通常、ＲＦＩＤタグのタグＩＤ（Identification：シリアル番号）などが格納されている書き込み不可の領域であるシステム領域と、ユーザによる情報の読み書きが可能な領域であるユーザ領域とに分かれている。原則として、システム領域の容量は、ＲＦＩＤタグの種類に関わらず一定であるが、ユーザ領域の容量は、ＲＦＩＤタグの種類によって可変である。このような様々な容量のユーザ領域をもつＲＦＩＤタグごとに、アプリケーションプログラムをインストールする必要がある。このため、最新のＲＦＩＤタグをシステムへ導入するに際して、当該ＲＦＩＤタグに対応したアプリケーションプログラムを新たにインストールする必要があり、ユーザに対する負担となっている。
【０００４】
このような背景に鑑みて本発明がなされたのであり、本発明は、同一のアプリケーションプログラムを用いて、ユーザ領域の容量が異なるＲＦＩＤタグを使用することが可能な、ＲＦＩＤ管理方法、ＲＦＩＤ管理プログラムおよびＲＦＩＤ管理装置を提供することを目的とする。
【課題を解決するための手段】
【０００５】
前記課題を解決するため、本発明を完成するに至った。すなわち、本発明の、ＲＦＩＤ管理方法、ＲＦＩＤ管理プログラムおよびＲＦＩＤ管理装置は、前記ＲＦＩＤタグに格納されるデータが、前記ＲＦＩＤタグのメモリ容量を超える場合、前記データのうち、前記ＲＦＩＤタグのメモリ容量を超えたデータを、記憶部に格納することを特徴とする。
【発明の効果】
【０００６】
本発明によれば、同一のアプリケーションプログラムを用いて、ユーザ領域の容量が異なるＲＦＩＤタグを使用することが可能となる。
【発明を実施するための最良の形態】
【０００７】
次に、本発明を実施するための最良の形態（「実施形態」という）について、適宜図面を参照しながら詳細に説明する。
図１は、本実施形態に係るＲＦＩＤ管理システムの構成例を示すブロック図である。
ＲＦＩＤ管理システム１は、メモリを有するＲＦＩＤタグ７と、このＲＦＩＤタグ７から無線によって情報を読み出したり、ＲＦＩＤタグ７へ情報を書き込んだりするリーダ／ライタ６と、このリーダ／ライタ６と電気的に接続され、ＲＦＩＤタグ７のユーザ領域に格納されるはずの情報であるが、ユーザ領域の容量を超えてしまった情報を管理するＲＦＩＤ管理装置２とを有してなる。なお、本明細書では、ＲＦＩＤタグ７のユーザ領域及びＲＦＩＤ管理装置２に格納される情報を、タグ情報（請求項におけるデータ）と記載する。
ＲＦＩＤ管理装置２は、ＲＦＩＤ管理プログラム３と、アプリケーションプログラム４と、記憶部５とを有す。
ＲＦＩＤ管理プログラム３は、情報の処理を行う処理部３１を有す。
記憶部５は、図３（ａ）を参照して後記するタグメモリ管理テーブル５１と、タグ情報を格納し、一時的なＲＦＩＤタグ７の仮想メモリとなるタグ仮想メモリ５２とを有す。
アプリケーションプログラム４は、ＲＦＩＤタグ７からの情報の読み出し、またはＲＦＩＤタグ７への情報の書き込みに関するコマンドを生成し、生成したコマンドをＲＦＩＤ管理プログラム３へわたす。
処理部３１は、記憶部５に格納されているＲＦＩＤ管理プログラム３が、例えば図示しないＲＡＭ（Random Access Memory）に展開され、図示しないＣＰＵ（Central Processing Unit）が、実行することによって具現化される。
【０００８】
次に、図１を参照しつつ、図２に沿って本実施形態の概要を示す。
図２は、本実施形態の概要を示す図であり、（ａ）〜（ｃ）は、それぞれ異なるユーザ領域を持つＲＦＩＤタグと、タグ仮想メモリとの関係を示す図である。
まず、（ａ）を参照して、本実施形態の概要を説明する。
一般に、ＲＦＩＤタグ７（７ａ〜７ｃ）のメモリは、ＲＦＩＤタグ７に固有のＩＤであるタグＩＤが書き込まれており、ユーザによる情報の書き込みが不可であるシステム領域７１（７１ａ〜７１ｃ）と、書き込みが可能であるユーザ領域７２（７２ａ〜７２ｃ）とに分かれ、ユーザ領域７２（７２ａ〜７２ｃ）の容量は、ＲＦＩＤタグ７（７ａ〜７ｃ）の種類や製品により異なる。ＲＦＩＤタグ７ａを例にすると、ユーザ領域７２ａには、図２に示すように、タグアドレス（ｍ０〜ｍｐ）が付される。ＲＦＩＤ管理装置２は、このタグアドレスを基に、タグ情報の書き込みや読み出しを行う。
しかしながら、情報によっては、データ量が、このユーザ領域７２の容量を超えてしまう場合がある。特に、ユーザ領域７２の容量が、小さいＲＦＩＤタグ７などでは、このような事態が生じやすい。
例えば、図２でいえば、ユーザ領域７２の容量は、ユーザ領域７２ｃが大きく（容量大）、次にユーザ領域７２ａが大きく（容量中）、ユーザ領域７２ｂが、図２の中では、最も小さい（容量小）。
【０００９】
そこで、本実施形態では、ＲＦＩＤ管理装置２の記憶部５にタグ仮想メモリ５２（５２ａ〜５２ｃ）を設定し、ユーザ領域７２の容量を超えた情報を格納する。そして、（ａ）に示すように、タグ仮想メモリ５２ａには、仮想タグアドレス（ｍｐ＋１〜ｍｒ）が付される。（ａ）に示すように、仮想タグアドレスは、タグアドレスと連番の形となっている。
このようにすることで、ＲＦＩＤタグ７ａのユーザ領域７２ａの容量を超える情報を格納でき、さらに、仮想タグアドレスを付すことで、あたかもタグ仮想メモリ５２ａがＲＦＩＤタグ７ａのユーザ領域７２ａであるかのように扱うことが可能となる。
【００１０】
また、（ｂ）および（ｃ）に示すように、ユーザ領域７２ｂ，７２ｃが異なるＲＦＩＤタグ７ｂ，７ｃにおいても、ＲＦＩＤタグ７ｂ，７ｃに対応するタグ仮想メモリ５２ｂ，５２ｃに、それぞれ仮想タグアドレス（ｍｐ−９〜ｍｒ，ｍｐ＋１１〜ｍｒ）を設定することにより、異なるユーザ領域７２ａ〜７２ｃを有するＲＦＩＤタグ７ａ〜７ｃをあたかも同じユーザ領域７２を有するＲＦＩＤタグ７であるかのように扱うことが可能となる。すなわち、ＲＦＩＤタグ７の種類の違いよるユーザ領域７２の容量の差異を、タグ仮想メモリ５２で吸収することが可能となり、その結果、同一のアプリケーションプログラム４による情報の一元的な管理が可能となる。
なお、本実施形態では、ＲＦＩＤタグ７ａ〜７ｃのユーザ領域７２ａ〜７２ｃと、これらに対応するタグ仮想メモリ５２ａ〜５２ｃとの合計容量が同じになるよう設定したが、これに限らず、それぞれのＲＦＩＤタグ７に対応するユーザ領域７２と、タグ仮想メモリ５２との合計容量が異なるように設定してもよい。
【００１１】
次に、図１および図２を参照しつつ、図３に沿ってタグメモリ管理テーブル５１と、タグ仮想メモリ５２の説明をする。
図３は、本実施形態に係るタグメモリ管理テーブルと、タグ仮想メモリとの構造の例を示す図であり、（ａ）は、タグメモリ管理テーブルの例であり、（ｂ）は、タグ仮想メモリの例である。
まず、（ａ）を参照すると、タグメモリ管理テーブル５１は、ＲＦＩＤタグ７を一意に識別するタグＩＤと、タグＩＤに対応した最大タグアドレスと、先頭アドレスとを有してなる。ここで、先頭アドレスとは、該当するタグ情報が格納される記憶部５における先頭アドレスである。
タグメモリ管理テーブル５１は、例えば、図示しない入力部を介して、タグＩＤと対応する最大タグアドレスとがＲＦＩＤ管理装置２に入力され、ＲＦＩＤ管理装置２が、ハードディスクや、メモリの空いている箇所を探索する。そして、最大タグアドレスを基に算出したタグ仮想メモリ５２の容量を確保した上で、この空いている箇所の先頭アドレスをタグＩＤに割り当てることで、タグメモリ管理テーブル５１が、生成される。タグ仮想メモリ５２の容量は、例えば、最大タグアドレスが大きい（ユーザ領域の容量が大きい）場合は、タグ仮想メモリ５２の容量を小さくし、最大タグアドレスが小さい（ユーザ領域の容量が小さい）場合は、タグ仮想メモリ５２の容量を大きくするなどといった方法がある。
【００１２】
次に、（ｂ）を参照すると、タグ仮想メモリ５２には、該当するタグ情報が格納される。ＲＦＩＤタグ７のユーザ領域７２を超えるタグ情報は、タグメモリ管理テーブル５１で設定されている先頭アドレスから、順に格納される。
例えば、（ａ）においてタグＩＤが「１」であるＲＦＩＤタグ７は、最大タグアドレスがｍｐであり、対応するタグ仮想メモリ５２における先頭アドレスはＡ０である。そして、タグ仮想メモリ５２上に、アドレス数がｒ−ｐの容量（記憶部５におけるアドレスＡ０〜Ａｒ−ｐ−１）が確保される。
同様に、（ｂ）においてタグＩＤが「２」であるＲＦＩＤタグ７は、最大タグアドレスがｍｐ−１０であり、対応するタグ仮想メモリ５２における先頭アドレスはＢ０である。そして、タグ仮想メモリ５２上に、アドレス数がｒ−ｐ＋１０の容量（記憶部５にアドレスＢ０〜Ｂｒ−ｐ＋９）が確保される。
そして、（ｃ）においてタグＩＤが「３」であるＲＦＩＤタグ７は、最大タグアドレスがｍｐ＋１０であり、対応するタグ仮想メモリ５２における先頭アドレスはＣ０である。そして、タグ仮想メモリ５２上に、アドレス数がｒ−ｐ−１０の容量（記憶部５にアドレスＣ０〜Ｃｒ−ｐ−１１）が確保される。
【００１３】
ここで、図１と図３を参照して、処理部３１におけるタグ情報の書き込み、または読み出しにおける処理を説明する。なお、システム全体の処理は、図４を参照して後記する。
まず、処理部３１が、アプリケーションプログラム４からタグ情報を書き込む、または読み出すためのタグアドレス（指定タグアドレス）と、対象となるＲＦＩＤタグ７のタグＩＤと、書き込みの場合は書き込むタグ情報とを受け取ったとする。タグＩＤ、指定アドレスおよびタグ情報は、図４および図５を参照して後記するコマンドに含まれる。処理部３１は、受け取ったタグＩＤを基に、（ａ）に示すタグメモリ管理テーブル５１を参照して、該当する最大タグアドレスの値を取得し、コマンドに含まれる指定アドレスと、取得した最大タグアドレスの値とを比較する。
【００１４】
次に、比較の結果、受け取ったタグアドレスの値が、該当する最大タグアドレスの値より大きい場合について説明する。例えば、処理部３１が受け取ったタグＩＤが「１」であり、受け取った指定タグアドレスの値が「ｍｐ＋ｘ」であり、該当する最大タグアドレスの値「ｍｐ」より大きかった場合、値「ｍｐ＋ｘ」は、仮想タグアドレスとなる。そして、処理部３１は、タグメモリ管理テーブル５１から該当する先頭アドレスを取得する。図３（ａ）を参照すると、タグＩＤ「１」に該当するタグ仮想メモリ５２の先頭アドレスは、「Ａ０」である。
記憶部５において、タグ仮想メモリ５２は、図３（ｂ）のような構造となっている。すなわち、各タグＩＤに対応する所定の領域が予め確保されている。
次に、処理部３１は、ｐ＋ｘ−ｐ＝ｘの演算を行い、記憶部５におけるアドレス「Ａｘ−１」に対し、書き込み、または読み出しに行き、該当するアドレスに記述されている情報を書き込む、もしくは該当するアドレスからタグ情報を読み出す。
【００１５】
比較の結果、受け取ったタグアドレスの値が、該当する最大タグアドレスの値より小さい場合、処理部３１は、リーダ／ライタ６を介してＲＦＩＤタグ７へ、タグ情報を書き込む、または読み出す。
【００１６】
（タグ情報が、複数のタグアドレスにまたがる場合の処理）
また、前記した比較の結果、処理部３１が、受け取ったタグアドレスの値が、該当する最大タグアドレスの値より小さいと判定した後、処理部３１が、書き込む、または読み出すタグ情報が、複数のタグアドレスにまたがるか否かを判定してもよい。この場合は、アプリケーションプログラム４から受け取るコマンド中に、タグ情報が書き込まれる、あるいは読み出されるアドレスの数が含まれている。この判定の結果、またがると判定した場合（すなわち、コマンド中のアドレスの数が２以上である場合）、処理部３１は、さらに、最大タグアドレスを基に、該当するタグ情報が、ＲＦＩＤタグ７のユーザ領域７２内に収まるか否かを判定してもよい。そして、判定の結果、収まらないと判定した場合、処理部３１は、当該タグ情報（書き込みの場合）、もしくは読み出すタグアドレス（読み出しの場合）を最大タグアドレスに相当する部分で分割し、それぞれをＲＦＩＤタグと、タグ仮想メモリ５２に書き込む、またはＲＦＩＤタグと、タグ仮想メモリ５２とからタグ情報を読み出す。
そして、収まると判定した場合、タグ情報をＲＦＩＤタグ７のユーザ領域７２に書き込む、もしくはユーザ領域７２からタグ情報を読み出す。
【００１７】
（ＲＦＩＤ管理システムの処理）
次に、図１を参照しつつ、図４に沿って本実施形態に係るＲＦＩＤ管理システムにおける処理を説明する。
図４は、本実施形態に係るＲＦＩＤ管理システムにおける処理の流れを示す図である。
なお、図４では、情報のＲＦＩＤタグへの書き込みに関する処理を記述するが、ＲＦＩＤタグ７から情報を読み出そうとする際における処理も同様である。
アプリケーションプログラム４は、図示しない入力部からの要求を契機にコマンドを生成し（Ｓ１）、生成したコマンドをＲＦＩＤ管理プログラム３へわたす（Ｓ２）。
【００１８】
ここで、コマンドの内容について説明する。
図５は、アプリケーションプログラムが生成するコマンドの例を示す図である。
図５に示すように、ＲＦＩＤタグ７の種類ごとに付されたタグＩＤと、該当するタグ情報を読み出す際に参照するＲＦＩＤタグ７のメモリ上のアドレス（指定タグアドレス）と、ＲＦＩＤタグ７に書き込むタグ情報とを有する。
【００１９】
図４の説明に戻る。
コマンドを受けとったＲＦＩＤ管理プログラム３の処理部３１は、コマンドに含まれるタグＩＤを基に、記憶部５に格納されているタグメモリ管理テーブル５１を参照して、該当する最大タグアドレスを取得する（Ｓ３）。
次に、処理部３１は、コマンドに含まれる指定タグアドレスと、取得した最大タグアドレスとを比較し、指定タグアドレスの値が最大タグアドレスの値以下であるか否かを判定する（Ｓ４）。ステップＳ３からステップＳ４における処理の詳細は、図３を参照して前記した通りである。
【００２０】
ステップＳ４の判定の結果、コマンドに含まれる指定タグアドレスの値が、ステップＳ３で取得した最大タグアドレスの値以下ではない場合（Ｓ４→Ｎｏ）、処理部３１は、タグ仮想メモリ５２の該当するアドレスへタグ情報を書き込む（Ｓ５）。そして、処理部３１は、応答をアプリケーションプログラム４へわたす（Ｓ６）。
【００２１】
ステップＳ４の判定の結果、コマンドに含まれる指定タグアドレスが、ステップＳ３で取得した最大タグアドレスの値以下の場合、（Ｓ４→Ｙｅｓ）、処理部３１は、リーダ／ライタ６へ受け取ったコマンドを送信する（Ｓ７）。
そして、コマンドを受信したリーダ／ライタ６は、コマンドに含まれるタグＩＤを基に、該当するＲＦＩＤタグ７にアクセスし、コマンドに含まれるユーザ領域の指定タグアドレスに該当するタグアドレスにタグ情報を書き込む（Ｓ８）。
そして、ＲＦＩＤタグ７に格納されているタグ情報を書き込んだリーダ／ライタ６は、ＲＦＩＤ管理装置２に、応答を送信する（Ｓ９）。応答を受信したＲＦＩＤ管理装置２におけるＲＦＩＤ管理プログラム３の処理部３１は、受信した応答をアプリケーションプログラム４にわたす（Ｓ１０）。
なお、タグ情報が複数のタグアドレスにまたがる場合、ステップＳ４→”Ｙｅｓ”の後、図３において、前記したような処理を行ってもよい。
【００２２】
なお、図４では、情報を書き込む処理について記載したが、情報を読み出す処理も同様である。この場合、図５に示すコマンドには、書き込まれるタグ情報がない。さらに、ステップＳ５およびステップＳ８は、「タグ情報の読み出し」となり、ステップＳ６、ステップＳ９、ステップＳ１０において、送信またはわたされる応答は、「タグ情報」となる。
【００２３】
次に、本実施形態の例として、プラント等の設備管理システムにおいて、稼働する機械、電気機器、計器にＲＦＩＤタグ７を装着して、設置時期や移設及び故障修理の履歴を管理する場合の例を、図１を参照しつつ図６に沿って示す。
【００２４】
図６は、本実施形態におけるタグ情報の割付の例を示す図であり、（ａ）は、ＲＦＩＤタグのメモリの例を示す図であり、（ｂ）は、タグ仮想メモリの例を示す図である。
図６において、ｍ０〜ｍｐは、タグアドレスであり、ｍｐ＋１〜ｍｒは、仮想タグアドレスである。
タグ情報として、設備管理Ｎｏ、製品名、設置年月、設置場所、そして重要な情報の予備などが考えられる。
最新の機器情報である現況情報は、ＲＦＩＤタグ７のユーザ領域（すなわち、タグアドレスｍ０〜ｍｐ）に格納される。しかしながら、過去の機器情報を履歴として保存しておきたい場合、過去の機器情報は、ＲＦＩＤタグ７のユーザ領域を超えてしまう。そこで、図６（ａ）に示すように、現況情報は、ＲＦＩＤタグ７のユーザ領域に格納し、過去の機器情報は、図６（ｂ）に示すように、タグ仮想メモリ５２（すなわち仮想タグアドレスｍｐ＋１〜ｍｒ）に格納する。具体的には、前回、および前々回の設置時期や移設及び故障修理の履歴を設備管理Ｎｏ、製品名、設置年月、設置場所、そして重要な情報の予備などの情報として格納する。
なお、本実施形態では、タグ仮想メモリ５２には、前回、および前々回の履歴が格納されるとしたが、これに限らず、タグ仮想メモリ５２の容量を大きくする、または格納する履歴の内容を変更することによって、前回、前々回、・・・、ｎ回前の履歴を格納することも可能であることは、当然である。
このようにすることで、現況情報だけではなく、過去の履歴情報を管理することも可能となり、寿命や修理周期により次回移設や撤去の予定をたてることができる。また、故障内容の統計、分析などのサービスへの元データとして活用することなどが考えられる。
【００２５】
次に、図１を参照しつつ図７および図８に沿って、本実施形態の例を説明する。
図７は、本実施形態に係るタグ情報割付の例を示す図である。
図７において、ｍ０〜ｍ６は、タグアドレスである。
なお、図７および図８において、例えば、１つのアドレスの容量は、３２バイトであるとする。
図７では、ある部品が納品された場合、この部品に貼付するＲＦＩＤタグ７のユーザ領域に、部品納品書１０の内容と、この部品に関する情報をタグ情報とする例を説明する。
この例において、ＲＦＩＤタグ７のシステム領域には、固定情報である「タグＩＤ」（１６バイト）が書き込まれる。そして、ユーザ領域には、部品納品書１０に記載してある初期情報と、その他の部品の情報である変更履歴情報がタグ情報として書き込まれる。
初期情報として、「品名」（８バイト）、「品番」（８バイト）、「数量」（１６バイト）、および「ロット」（１６バイト）の各情報が書き込まれる。
変更履歴情報として、「棚卸月日」（１６バイト）、「確認者」（１６バイト）、および「予備」（３２バイト）の各情報が書き込まれる。
そして、ＲＦＩＤタグ７のタグ情報として書き込まれた初期情報と、変更履歴情報とは、ＲＦＩＤ管理プログラム３のタグ仮想メモリ５２にも書き込まれる。この場合、図４において処理部３１が、タグ仮想メモリ５２へのタグ情報のコピーの書き込みと、ＲＦＩＤタグ７へのタグ情報の書き込みの両方を行うことによって、可能となる。
【００２６】
図８は、本実施形態に係るタグ情報割付の例を示す図である。
図８において、図７と同じ要素に関しては、同一の符号を付して、説明を省略する。
なお、図８において、ｍ０〜ｍ３は、タグアドレスであり、ｍ４〜ｍ６は、仮想タグアドレスである。
図８の例が、図７の例と異なる点は、初期情報（タグアドレスｍ０〜ｍ３）がＲＦＩＤタグ７のユーザ領域に書き込まれ、変更履歴情報（仮想タグアドレスｍ４〜ｍ６）がタグ仮想メモリ５２に書き込まれる点である。
このようにすることで、変更履歴情報がＲＦＩＤタグ７のユーザ領域の容量を超える場合でも、タグ仮想メモリ５２に変更履歴情報を書き込むことにより、より大きな情報を使用することが可能となる。
【図面の簡単な説明】
【００２７】
【図１】本実施形態に係るＲＦＩＤ管理システムの構成例を示すブロック図である。
【図２】本実施形態の概要を示す図であり、（ａ）〜（ｃ）は、それぞれ異なるユーザ領域を持つＲＦＩＤタグと、タグ仮想メモリとの関係を示す図である。
【図３】本実施形態に係るタグメモリ管理テーブルと、タグ仮想メモリとの構造の例を示す図であり、（ａ）は、タグメモリ管理テーブルの例であり、（ｂ）は、タグ仮想メモリの例である。
【図４】本実施形態に係るＲＦＩＤ管理システムにおける処理の流れを示す図である。
【図５】アプリケーションプログラムが生成するコマンドの例を示す図である。
【図６】本実施形態におけるタグ情報の割付の例を示す図であり、（ａ）は、ＲＦＩＤタグのメモリの例を示す図であり、（ｂ）は、タグ仮想メモリの例を示す図である。
【図７】本実施形態に係るタグ情報割付の例を示す図である（その１）。
【図８】本実施形態に係るタグ情報割付の例を示す図である（その２）。
【符号の説明】
【００２８】
１      ＲＦＩＤ管理システム
２      ＲＦＩＤ管理装置
３      ＲＦＩＤ管理プログラム
４      アプリケーションプログラム
５      記憶部
６      リーダ／ライタ
７，７ａ，７ｂ，７ｃ  ＲＦＩＤタグ
３１    処理部
５１    タグメモリ管理テーブル
５２，５２ａ，５２ｂ，５２ｃ  タグ仮想メモリ
７１，７１ａ，７１ｂ，７１ｃ  システム領域
７２，７２ａ，７２ｂ，７２ｃ  ユーザ領域
【図１】
2008004030.tif 000003
【図２】
2008004030.tif 000004
【図３】
2008004030.tif 000005
【図４】
2008004030.tif 000006
【図５】
2008004030.tif 000007
【図６】
2008004030.tif 000008
【図７】
2008004030.tif 000009
【図８】
2008004030.tif 000010